(57)【要約】【課題】  広告媒体及び携帯端末を活用して顧客の来店数を増加させ、販売を促進することができる広告媒体活用方法及び広告媒体活用システムを提供することを目的とする。【解決手段】  上記の課題を解決するため、本発明は、店舗により提供されるサービスもしくは店舗で販売する商品を広告する広告媒体のそれぞれに識別情報を発行する識別情報発行手順と、顧客が取得した上記広告媒体の上記識別情報を、上記顧客が所有する携帯端末から取得する取得手順と、上記取得手順により取得された上記識別情報に基づいて、上記店舗に来店した顧客に所定のサービスの提供が可能か否かを判断するサービス提供判断手順とを有する構成とされる。【選択図】  図２
2005189977.tif 000002
【特許請求の範囲】
【請求項１】
店舗により提供されるサービスもしくは店舗で販売する商品を広告する広告媒体のそれぞれに識別情報を発行する識別情報発行手順と、
顧客が取得した上記広告媒体の上記識別情報を、上記顧客が所有する携帯端末から取得する取得手順と、
上記取得手順により取得された上記識別情報に基づいて、上記店舗に来店した顧客に所定のサービスの提供が可能か否かを判断するサービス提供判断手順とを有することを特徴とする広告媒体活用方法。
【請求項２】
上記識別情報は、上記広告媒体のそれぞれに割り振られたシリアル番号であることを特徴とする請求項１記載の広告媒体活用方法。
【請求項３】
上記識別情報は、上記シリアル番号に対応した上記携帯端末で読み取り可能なシンボルであることを特徴とする請求項２記載の広告媒体活用方法。
【請求項４】
上記店舗又は製造メーカーからの上記サービス提供に関する情報を登録するサービス提供情報登録手順を有し、
上記識別情報発行手順は、上記サービス提供情報に基づいて上記識別情報を発行することを特徴とする請求項１乃至３いずれか一項記載の広告媒体活用方法。
【請求項５】
上記取得手順は、上記携帯端末から上記識別情報と共に上記顧客に関する顧客情報を取得し、上記識別情報毎に上記顧客情報を登録する顧客情報登録手順を有することを特徴とする請求項１乃至４いずれか一項記載の広告媒体活用方法。
【請求項６】
上記顧客情報登録手順は、上記顧客情報の登録が完了した場合、上記携帯端末に登録完了メールを送信する送信手順を有することを特徴とする請求項５記載の広告媒体活用方法。
【請求項７】
上記携帯端末の代わりに上記顧客の自宅に設置されたパーソナルコンピュータを用いることを特徴とする請求項１乃至７いずれか一項記載の広告媒体活用方法。
【請求項８】
店舗により提供されるサービスもしくは店舗で販売する商品を広告する広告媒体のそれぞれに識別情報を発行する識別情報発行手段と、
上記識別情報発行手段により発行された上記識別情報を格納する識別情報データベースと、
上記顧客が取得した上記広告媒体の上記識別情報と、上記顧客に関する顧客情報を、上記顧客が所有する携帯端末から取得して格納する顧客情報データベースと、
上記識別情報データベースに格納された上記識別情報と、上記顧客情報データベースに格納された上記顧客情報とに基づいて、上記顧客に所定のサービスの提供が可能か否かを判断するサービス提供判断手段とを有することを特徴とする広告媒体活用システム。
【発明の詳細な説明】
【技術分野】
【０００１】
本発明は広告媒体活用方法及び広告媒体活用システムに係り、特に、新聞折り込みなどの広告媒体のそれぞれに記載されたシリアル番号を活用した広告媒体活用方法及び広告媒体活用システムに関する。
【背景技術】
【０００２】
従来、商品を小売する店舗では、商品の販売促進を目的として、雑誌、テレビ、ラジオのコマーシャルなど、さまざまな広告媒体が利用されている。特に、身近な広告媒体として、顧客へのダイレクトメール（はがき、封書等）や、店舗の周辺地域の住宅のポストに投函されるちらしや、新聞の折り込みちらしなどがある。顧客は、このような広告媒体を参考にして所定の店舗に出向き、商品を購入している場合がほとんどである。
【０００３】
また、近年では、店舗業務を広告するためのサイトを管理し、インターネットを介して顧客のパーソナルコンピュータ（ＰＣ）や携帯電話に提供する手段を用いる店舗が増えている。例えば、店舗側では、顧客の電子メールアドレスがわかっている場合、顧客の了解を得て、サイトの所在地情報であるＵＲＬを記載した電子メールを送信している。これにより、顧客はＵＲＬからサイトに接続するため、店舗側では上記広告媒体と同様に販売促進の効果が期待されている。
【０００４】
特に、近年では、携帯電話を所有している顧客が増加傾向にあり、携帯電話を用いて店舗業務の広告を行うことが店舗側に求められている。また、顧客側からは、普段持ち歩く携帯電話を用いて、手間をかけることなく広告を参照したり、頻繁に利用する店舗からサービスが受けられるということが要求されている。
【発明の開示】
【発明が解決しようとする課題】
【０００５】
しかしながら、上記広告媒体を利用する場合、はがきや封書では、葉書や封筒への印刷代、内容物の費用、郵送費用がかかり、ポストにちらしを投函する場合にも、紙媒体への印刷代、配布費用がかかり、また、広告媒体の配布数に比べて店舗への来店人数が少ないなど、かかる費用や配布数に対して得られる効果が少ないという問題点があった。
【０００６】
また、このように広告媒体を利用した際の効果が得られない場合は、費用削減のために広告媒体の利用を中止し、インターネットを利用して顧客に提供するサイトを運営する店舗が増えつつある。しかしながら、サイトを管理する場合も、手間やコストがかかると共に、インターネットの利用者のうち、店舗に来店することができる地区の住人を選択してサイトの閲覧を促すことはできず、日常的な販売促進に好影響を与えることはできなという問題点があった。
【０００７】
また、店舗を利用することでサービスを受けられる店舗会員に登録している顧客には、上記広告媒体のはがきや封書により、その顧客のみに特別なサービスを提供することが可能であるが、新聞折り込みのちらしなど不特定多数に配布した広告媒体については、そのちらしを見て来店した顧客には、特別なサービスを提供していないため、顧客の来店数の増加、及び販売の促進を図ることができないという問題点があった。
【０００８】
そこで、本発明の課題は、広告媒体及び携帯端末を活用して顧客の来店数を増加させ、販売を促進することができる広告媒体活用方法及び広告媒体活用システムを提供することである。
【課題を解決するための手段】
【０００９】
上記の課題を解決するため、本発明は、請求項１に記載されるように、店舗により提供されるサービスもしくは店舗で販売する商品を広告する広告媒体のそれぞれに識別情報を発行する識別情報発行手順と、顧客が取得した上記広告媒体の上記識別情報を、上記顧客が所有する携帯端末から取得する取得手順と、上記取得手順により取得された上記識別情報に基づいて、上記店舗に来店した顧客に所定のサービスの提供が可能か否かを判断するサービス提供判断手順とを有する構成とされる。
【００１０】
このような広告媒体活用方法において、広告媒体のそれぞれに識別情報を発行し、顧客が取得した広告媒体の識別情報を、顧客が所有する携帯端末から取得してその顧客の来店時に所定のサービスの提供が可能か否かを判断することにより、広告媒体及び携帯端末を活用して顧客の来店数を増加させ、販売を促進することができる。
【００１１】
上記の課題を解決するため、本発明は、請求項２に記載されるように、上記識別情報は、上記広告媒体のそれぞれに割り振られたシリアル番号である構成としてもよい。
【００１２】
このような広告媒体活用方法において、広告媒体のそれぞれに割り振られたシリアル番号を用いることにより、広告媒体のコストを最小限に抑えることができる。
【００１３】
上記の課題を解決するため、本発明は、請求項３に記載されるように、上記識別情報は、上記シリアル番号に対応した上記携帯端末で読み取り可能なシンボルである構成としてもよい。
【００１４】
このような広告媒体活用方法において、シリアル番号に対応した携帯端末で読み取り可能なシンボルを用いることにより、広告媒体及び携帯端末を活用して顧客の来店数を増加させ、販売を促進することができる。
【００１５】
上記の課題を解決するため、本発明は、請求項４に記載されるように、上記店舗又は製造メーカーからの上記サービス提供に関する情報を登録するサービス提供情報登録手順を有し、上記識別情報発行手順は、上記サービス提供情報に基づいて上記識別情報を発行する構成としてもよい。
【００１６】
このような広告媒体活用方法において、店舗又は製造メーカーからのサービス提供に関する情報を登録し、そのサービス提供情報に基づいて識別情報を発行することにより、サービス提供情報及び発行した識別情報と効率的に管理することができる。
【００１７】
上記の課題を解決するため、本発明は、請求項５に記載されるように、上記取得手順は、上記携帯端末から上記識別情報と共に上記顧客に関する顧客情報を取得し、上記識別情報毎に上記顧客情報を登録する顧客情報登録手順を有する構成としてもよい。
【００１８】
このような広告媒体活用方法において、携帯端末から識別情報と共に顧客に関する顧客情報を取得し、識別情報毎に顧客情報を登録することにより、広告媒体及び携帯端末を活用して顧客の来店数を増加させ、販売を促進することができる。
【００１９】
上記の課題を解決するため、本発明は、請求項６に記載されるように、上記顧客情報登録手順は、上記顧客情報の登録が完了した場合、上記携帯端末に登録完了メールを送信する送信手順を有する構成としてもよい。
【００２０】
このような広告媒体活用方法において、顧客情報の登録が完了した場合、携帯端末に登録完了メールを送信することにより、顧客は顧客情報の登録、即ち、キャンペーンの登録が完了したかを確認することができる。
【００２１】
上記の課題を解決するため、本発明は、請求項７に記載されるように、上記携帯端末の代わりに上記顧客の自宅に設置されたパーソナルコンピュータを用いる構成としてもよい。
【００２２】
このような広告媒体活用方法において、携帯端末の代わりに顧客の自宅に設置されたパーソナルコンピュータを用いることにより、識別情報及び顧客情報の登録処理を容易に行うことができ、広告媒体活用方法における汎用性を向上させることができる。
【００２３】
上記の課題を解決するため、本発明は、請求項８に記載されるように、店舗により提供されるサービスもしくは店舗で販売する商品を広告する広告媒体のそれぞれに識別情報を発行する識別情報発行手段と、上記識別情報発行手段により発行された上記識別情報を格納する識別情報データベースと、上記顧客が取得した上記広告媒体の上記識別情報と、上記顧客に関する顧客情報を、上記顧客が所有する携帯端末から取得して格納する顧客情報データベースと、上記識別情報データベースに格納された上記識別情報と、上記顧客情報データベースに格納された上記顧客情報とに基づいて、上記顧客に所定のサービスの提供が可能か否かを判断するサービス提供判断手段とを有する構成とされる。
【００２４】
このような広告媒体活用装置において、店舗により提供されるサービスもしくは店舗で販売する商品を広告する広告媒体のそれぞれに識別情報を発行し、その識別情報を格納する識別情報データベースと、顧客が取得した広告媒体の識別情報と、顧客に関する顧客情報を、顧客が所有する携帯端末から取得して格納する顧客情報データベースと、識別情報データベースに格納された識別情報と、顧客情報データベースに格納された顧客情報とに基づいて、顧客に所定のサービスの提供が可能か否かを判断することにより、広告媒体及び携帯端末を活用して顧客の来店数を増加させ、販売を促進することができる。
【００２５】
また、上記課題を解決するため、本発明は、広告媒体活用方法をコンピュータに行なわせるためのプログラム及びそのプログラムを格納した記録媒体とすることもできる。
【発明の効果】
【００２６】
このような広告媒体活用方法では、広告媒体のそれぞれに識別情報を発行し、顧客が取得した広告媒体の識別情報を、顧客が所有する携帯端末から取得してその顧客の来店時に所定のサービスの提供が可能か否かを判断することにより、広告媒体及び携帯端末を活用して顧客の来店数を増加させ、販売を促進することができる。
【発明を実施するための最良の形態】
【００２７】
以下、本発明の実施の形態を図面に基づいて説明する。
【００２８】
図１は、本発明の一実施例に係る広告媒体活用方法の概要を説明するための図である。図１において、本発明の広告媒体活用方法は、広告媒体であるちらし６を活用し、商品の小売業を営んでいる店舗３へ複数の顧客２を来店させ、商品の販売促進を図る方法である。本発明では、顧客２にサービス提供が可能か否かを識別する識別情報として、ちらし６にシリアル番号６０が記載されているものとする。先ず、店舗３では、シリアル番号６０を記載したちらし６を作成し、そのちらし６を新聞折り込み等により不特定多数の顧客２へ配布する（ステップＳ１）。顧客２は、ちらし６に記載されたシリアル番号６０を、顧客２が所有する携帯端末４に記憶する（ステップＳ２）。顧客２は、携帯端末４を用いてキャンペーンやイベントに応募する（ステップＳ３）。顧客２は、シリアル番号６０を記憶した携帯端末４を持って来店し、店舗３に掲示している当選発表７を見て、当選しているか否かを確認する（ステップＳ４）。シリアル番号６０が当選している場合、顧客２に店舗３からちらし６と引き換えにキャンペーンの特典（サービス）が提供される。
【００２９】
このように、シリアル番号６０を記載したちらし６を顧客２に配布し、ちらし６に記載されたシリアル番号６０を携帯端末４に記録し、そのシリアル番号６０が当選しているか否かを顧客２に確認させることにより、広告媒体及び携帯端末を活用して顧客の来店数を増加させ、販売を促進することができる。
【００３０】
尚、上記携帯端末４は、携帯電話やＰＤＡ（Ｐｅｒｓｏｎａｌ  Ｄｉｇｉｔａｌ  Ａｓｓｉｓｔａｎｔ）など、上記識別情報の記録し、顧客が持ち運び可能な情報端末であればよい。
【００３１】
尚、携帯端末４に記録されたシリアル番号等の識別情報を店舗３で読み取り、シリアル番号が当選か否かを判断してサービスを提供するようにしてもよい。この広告媒体活用方法におけるシステム構成を図２で詳細に説明する。
【００３２】
図２は、本発明の一実施例に係る広告媒体活用システムを示す構成図である。図２において、広告媒体活用方法を実行する広告媒体活用システム１０は、シリアル番号の発行などの広告媒体活用方法に関する処理を行うサーバー２０と、店舗側に設置され、顧客に対して実行するキャンペーン情報の提供などを行う店舗端末３０と、顧客の自宅に設置され、ちらし６に記載されたシリアル番号６０を記録する携帯端末４又は顧客端末４０と、協力メーカーに設置され、キャンペーン情報の提供などを行うメーカー端末５０等で構成されるシステムである。
【００３３】
また、サーバー２０と、顧客側端末３０と、顧客側端末４０と、メーカー端末５０は、専用線やインターネット等のネットワーク１で接続されている。携帯端末４は、基地局と電話網８を介してネットワーク１に接続されている。
【００３４】
サーバー２０は、サーバーコンピュータであって、ＣＰＵ（中央処理装置）によって各構成が制御される。ＣＰＵは、メモリユニットに格納された本発明の広告媒体活用方法に従って処理を行う。例えば、この広告媒体活用処理を実行するまでの過程を以下に説明すると、広告媒体活用処理プログラムが記録された記録媒体（図示せず）から、サーバー２０に内蔵されたインストーラにより読み出され、その読み出されたプログラムは、例えば、補助記憶装置等にインストールされる。そして、後述される広告媒体活用処理が起動されると、補助記憶装置にインストールされた当該プログラムに従って、ＣＰＵがその処理を開始し、取得した情報を各データベース（以下ＤＢと呼ぶ）に格納して管理する。
【００３５】
尚、記録媒体は、ＣＤ−ＲＯＭなどプログラムが格納可能であり、コンピュータが読み取り可能な媒体であればよい。
【００３６】
サーバー２０の構成は、主に、ちらし６に記載するキャンペーン情報を取得して登録を行うキャンペーン情報登録処理部２１と、ちらし６に記載するシリアル番号を発行するシリアル番号発行処理部２２と、各顧客からシリアル番号及び顧客情報を取得する顧客情報取得処理部２３と、顧客情報の登録完了を送信する送信処理部２４と、キャンペーンにより顧客に商品券などの特典（サービス）の提供が可能であるか否かを判断する、即ち、顧客のシリアル番号が当選したか否かを確認する当選確認処理部２５と、キャンペーン情報と共にシリアル番号情報が格納されたシリアル番号情報ＤＢ２００と、顧客情報が格納された顧客情報ＤＢ２１０とを有する。シリアル番号情報ＤＢ２００に格納されるテーブルについては図４で、顧客情報ＤＢ２１０に格納されるテーブルについては図５で詳細に説明する。
【００３７】
キャンペーン情報登録処理部２１は、店舗端末３０又はメーカー端末５０からキャンペーン情報を取得して、シリアル番号情報ＤＢ２００へ登録を行う。シリアル番号発行処理部２２は、キャンペーン情報毎に、各ちらし６に記載するシリアル番号を発行し、シリアル番号情報ＤＢ２００へ登録を行う。顧客情報取得処理部２３は、各顧客の携帯端末４、又は顧客端末４０からシリアル番号及び顧客情報を取得し、顧客情報ＤＢ２１０に登録する。送信処理部２４は、顧客情報の登録完了を携帯端末４、又は顧客端末４０に送信する。当選確認処理部２５は、所定の顧客のシリアル番号が当選したか否かを確認する。
【００３８】
顧客が所有する携帯端末４、又は顧客端末４０において、例えば、顧客がちらし６に記載されたキャンペーンに応募する場合、先ず、シリアル番号６０が記録される。携帯端末４、又は顧客端末４０から、記録されたシリアル番号６０をサーバー２０へ送信すると同時に、顧客の電話番号、住所、氏名等の顧客情報を送信する。
【００３９】
次に、広告媒体活用方法の流れを説明する。尚、サーバー２０には、キャンペーン情報が予めシリアル番号情報ＤＢ２００に格納されているものとする。先ず、サーバー２０は、発行したシリアル番号６０及びキャンペーン情報を紙媒体に印刷してちらし６を作成する。尚、サーバー２０は、印刷業者にシリアル番号及びキャンペーン情報を提供して印刷処理を依頼してもよい。作成されたちらし６は、複数の顧客に配布される。顧客は、ちらし６のシリアル番号６０を携帯端末４、又は顧客端末４０に記録し、記録されたシリアル番号及び顧客情報をサーバー２０へ提供する。サーバー２０は、提供されたシリアル番号及び顧客情報を顧客情報ＤＢ２１０に登録し、登録結果を携帯端末４、又は顧客端末４０に送信する。また、サーバー２０は、顧客のシリアル番号から当選したか否かを確認する。ここで、サーバー２０は、当選確認結果を携帯端末４、又は顧客端末４０に送信することも可能である。
【００４０】
このように、シリアル番号６０を発行して配布したちらし６のシリアル番号６０を携帯端末４に記録し、サーバー２０にシリアル番号６０及び顧客情報を提供して、シリアル番号６０が当選しているか否かを確認することにより、顧客の来店数を増加させ、店舗での商品の販売を促進することができる。
【００４１】
尚、キャンペーン（イベント）には、ポイントアップ、クーポン発行、５２週プレゼントなど各種のキャンペーンなどがあり、それらのキャンペーンに対してポイントアップ、店舗で利用可能な商品券、クーポン割引、季節毎のプレゼントなどの特典、即ちサービスが提供される。また、協力メーカーからのタイアップキャンペーンなどもあり、特典として試供品やメーカー商品割引クポーンなどのサービスが提供される。
【００４２】
本発明の広告媒体活用方法を用いて、これらのキャンペーンを店舗側で実施することにより、顧客側のメリットとして、キャンペーン参加により特典が入手でき、携帯端末等を活用することで、気軽に参加することができる。店舗側のメリットとして、店舗のちらしが顧客に捨てられず、他店とのちらしとの差別化を図ることができ、ちらしの有効活用（販売促進や売上向上）、ＣＳ（Ｃｕｓｔｏｍｅｒ  Ｓｅｒｖｉｃｅ）を向上させ、優良顧客の獲得を行うことができる。また、協力メーカーのメリットとして、新製品の販売促進や、店舗との共同によるちらし掲載商品の認知度向上や、ブランド力を向上させることができる。
【００４３】
次に、広告媒体活用システム１０における広告媒体活用処理の流れについて説明する。図３は、本発明の一実施例に係る広告媒体活用処理の流れを説明するための図である。図３において、先ず、店舗端末３０、及びメーカー端末５０からサーバー２０へキャンペーン情報が提供される（ステップＳ１１）。サーバー２０は、提供されたキャンペーン情報をシリアル番号情報ＤＢ２００へ登録する（ステップＳ１２）。また、サーバー２０は、キャンペーン情報毎にシリアル番号を発行し、シリアル番号情報ＤＢ２００へ登録する（ステップＳ１３）。シリアル番号情報ＤＢ２００に登録されたシリアル番号情報に基づいて、シリアル番号を印刷してちらし６を作成する（ステップＳ１４）。作成されたちらし６は、各顧客に配布される（ステップＳ１５）。
【００４４】
携帯端末４、又は顧客端末４０には、ちらし６のシリアル番号が記録され、サーバー２０が管理するサイトへアクセスして、シリアル番号と顧客情報とを提供する（ステップＳ１６）。サーバー２０は、提供されたシリアル番号と顧客情報とを顧客情報ＤＢ２１０に格納する（ステップＳ１７）。顧客は、携帯端末４を店舗へ持参した場合、その携帯端末４にシリアル番号と顧客情報とを表示させる（ステップＳ１８）。顧客は、店舗に掲載された当選番号から、自分のシリアル番号が当選したか否かを確認する（ステップＳ１９）。また、店舗では、当選した顧客のシリアル番号が偽造されたものでないか、サーバー２０へ問い合わせ、偽造でないと判断された場合、顧客にサービスを提供する（ステップＳ２０）。
【００４５】
このように、シリアル番号６０を発行して配布したちらし６のシリアル番号６０を携帯端末４に記録し、サーバー２０にシリアル番号６０及び顧客情報を提供して、シリアル番号６０が当選しているか否かを顧客が目視で、又はサーバー２０に問い合わせて確認することにより、シリアル番号を所有、又は把握している顧客の来店時にサービスを提供することができ、顧客の来店数を増加させ、店舗での商品の販売を促進することができる。
【００４６】
次に、サーバー２０のキャンペーン情報登録処理部２１とシリアル番号発行処理部２２とにより発行、登録されたシリアル番号情報について説明する。図４は、シリアル番号情報ＤＢに格納されるテーブルを示す図である。図４に示すテーブル２０１は、店舗端末３０又はメーカー端末５０からのキャンペーン情報と、キャンペーン情報毎に発行されたシリアル番号とを示している。テーブル２０１には、シリアル番号を示す項目と、広告媒体の詳細を示す項目と、広告媒体の発行日を示す項目と、協力メーカーを示す項目と、協力メーカーからの特典を示す項目と、シリアル番号が有効な店舗を示す項目と、キャンペーンを示す項目と、シリアル番号発行主体（チェーン店本部、個別店舗）情報で構成されている。
【００４７】
このように、テーブル２０１に示すシリアル番号情報をサーバー２０で管理することにより、サービスを提供した顧客の動向を把握することができる。
【００４８】
次に、携帯端末４、又は顧客端末４０から提供された顧客情報について説明する。図５は、顧客情報ＤＢに格納されるテーブルを示す図である。図５に示すテーブル２１１は、携帯端末４、又は顧客端末４０から提供された顧客情報とシリアル番号とを示している。テーブル２１１には、顧客情報を識別する顧客ＩＤを示す項目と、シリアル番号を示す項目と、サイトにアクセスした日時を示す項目と、顧客の氏名を示す項目と、顧客の住所を示す項目と、顧客の性別を示す項目と、店舗のポイントカード会員の登録が行われている場合、会員番号を示す項目とで構成されている。
【００４９】
このように、テーブル２１１に示す顧客情報をサーバー２０で管理することにより、シリアル番号と顧客番号を登録した顧客が当選確認のために店舗へ出向き、また、シリアル番号が当選している場合、本人か否かの確認を行ってサービスを提供することができ、顧客の来店数を増加させ、店舗での商品の販売を促進することができる。
【００５０】
次に、シリアル番号等の識別情報が記載されたちらしの例を説明する。図６は、識別情報が記載されたちらしの例を示す図である。図６（Ａ）に示すちらし６５には、キャンペーン情報６６と、シリアル番号６０とが印刷されている。例えば、顧客２は、ちらし６５を店舗３へ持参し、シリアル番号６０「Ａ０２３４」が当選しているか否かを確認する。
【００５１】
図６（Ｂ）に示すちらし６１には、キャンペーン情報６２と、シリアル番号６０とが印刷されている。例えば、携帯端末４、又は顧客端末４０から、ちらし６１のキャンペーン情報６２に記載されたＵＲＬのサイトにアクセスする。サイトから、シリアル番号６０「Ａ０２３４」と、顧客情報とを入力してキャンペーンに応募し、サーバー２０に顧客情報が登録される。
【００５２】
図６（Ｃ）に示すちらし６３には、キャンペーン情報６４と、シリアル番号６０と、シリアル番号６０に対応するシンボル６６（ここでは２次元コード）とが印刷されている。ちらし６３の場合、第１の方法として、携帯端末４、又は顧客端末４０から、ちらし６１のキャンペーン情報６２に記載されたＵＲＬのサイトにアクセスする。サイトから、シリアル番号６０「Ａ０２３４」と、顧客情報とを入力してキャンペーンに応募し、サーバー２０に顧客情報が登録される。また、第２の方法として、携帯端末４によりシンボル６６をスキャンしてデータを読み込む。シンボル６６をスキャンした携帯端末４を、店舗へ持参し、キャンペーンによるサービス提供が可能であるか否か店舗端末３０により確認される。
【００５３】
このように、携帯端末４、又は顧客端末４０から、ちらし６１、６３に記載されたシリアル番号及びシンボル６６を用いて、キャンペーンの登録やキャンペーンによるサービス提供が可能であるか否かを店舗に来店して確認することにより、携帯端末４を活用して顧客の来店数を増加させ、店舗での商品の販売を促進することができる。
【００５４】
次に、店舗と顧客間の広告媒体活用処理の流れについて説明する。図７は、店舗と顧客間の広告媒体活用処理を示すフローチャート図である。図７において、先ず、ステップＳ２５の処理で、店舗３では、サーバー２０より発行されたちらしごとのシリアル番号及びキャンペーン情報を紙媒体に印刷してちらしを作成する。ステップＳ２６の処理で、店舗３では、作成されたちらしを顧客に配布する。
【００５５】
ステップＳ２７の処理で、顧客２は、店舗３側から配布されたシリアル番号付きのちらしを受け取る。ステップＳ２８の処理で、顧客２は、携帯端末４にシリアル番号を登録する。ステップＳ２７の処理で、顧客２は、サービスとの引き換えのため、ちらしを保管する。
【００５６】
ステップＳ３０の処理で、顧客２は、シリアル番号が記録された携帯端末４を店舗に持参する。ステップＳ３１の処理で、店舗３では、ちらしに記載したキャンペーンを実施する。ステップＳ３２の処理で、店舗３では、キャンペーンに当選したシリアル番号の発表を紙媒体に印刷して、もしくは店頭に設置したディスプレイに表示して店舗３内に掲載する。
【００５７】
ステップＳ３３の処理で、顧客２では、目視で携帯端末４に記録されたシリアル番号を当選番号と照合する。ステップＳ３４の処理で、顧客２では、店舗３に対して携帯端末４に記録されたシリアル番号を提示する（ケース１）。一方、ステップＳ３５の処理で、顧客２では、店舗３に対して保管していたちらしを提示する（ケース２）。ステップＳ３６の処理で、店舗３では、顧客が提示した番号と当選シリアル番号とを確認する。ステップＳ３７の処理で、店舗３では、顧客が提示した番号と当選シリアル番号とが一致する場合、その当選者にキャンペーン商品等（サービス）を提供する。ステップＳ３８の処理で、顧客２は、キャンペーン商品（サービス）を受け取る。
【００５８】
このように、配布したちらし６のシリアル番号６０を携帯端末４に記録し、シリアル番号６０が当選しているか否かを店舗３で確認することにより、顧客の来店数を増加させ、店舗での商品の販売を促進することができる。
【００５９】
次に、携帯端末４、又は顧客端末４０からサーバー２０への顧客情報登録処理から、顧客による特典受取処理について説明する。図８は、登録処理から特典受取処理までの基本フローを説明するための図である。図８において、シリアル番号及び顧客情報を登録する登録処理（ステップＳ１）と、シリアル番号が当選したか否を確認する当選確認処理（ステップＳ２）と、当選した場合に特典を受け取る特典受取処理（ステップＳ３）の概要を示している。登録処理（ステップＳ１）では、（１）携帯端末記録型、（２）サーバー登録型、（３）メール添付型の処理が実行可能である。また、当選確認処理（ステップＳ２）では、（４）目視確認型、（５）スキャン＋目視型、（６）スキャン＋データ照合型の処理が実行可能である。特典受取処理（ステップＳ３）では、（７）端末確認のみ型、（８）ちらし照合型の処理が実行可能である。上記（１）〜（３）の処理のいずれか一つと、上記（４）〜（６）の処理のいずれか一つと、上記（７）、（８）の処理のいずれか一つを組み合わせて、登録処理から特典受取処理を実行することができる。
【００６０】
次に、上記（１）携帯端末記録型の登録処理について詳細に説明する。図９は、携帯端末記録型の登録処理から特典受取処理までの詳細を示すフローチャート図である。図９において、店舗会員への事前登録がなく、携帯端末４のメモリー機能を利用する場合を示している。先ず、ステップＳ４０の処理で、顧客に文字列のシリアル番号が記載されたちらし６が配布される。ステップＳ４１の処理で、携帯端末４にシリアル番号の文字列が入力される。ステップＳ４２の処理で、携帯端末４に入力された文字列が記録される。
【００６１】
また、ステップＳ４３の処理で、顧客にシリアル番号に対応するシンボル（２次元、バー等）が記載されたちらし６が配布される。ステップＳ４４の処理で、携帯端末４によりシンボルが撮影される。ステップＳ４５の処理で、携帯端末４により撮影されたシンボルデータが記録される。また、ステップＳ４６の処理で、携帯端末４によりシンボルが撮影される。ステップＳ４７の処理で、携帯端末４により撮影したシリアル番号データが文字列にデコードされる。ステップＳ４８の処理で、携帯端末４によりデコードされた文字列が記録される。
【００６２】
ステップＳ４９の処理で、携帯端末４に記録されたシリアル番号が当選しているか否かの確認、例えば、顧客が店舗に出向いて確認を行なう。ステップＳ５０の処理で、携帯端末４に記録された文字列のシリアル番号を読み出し、ディスプレイに表示させる。ステップＳ５１の処理で、携帯端末４に表示させたシリアル番号と、店舗に掲載された当選番号とを目視で確認する。また、ステップＳ４６〜Ｓ４８の処理の後、ステップＳ５０、Ｓ５１と同様の処理を行うものとする。
【００６３】
ステップＳ５２の処理で、携帯端末４に記録されたシリアル番号のシンボルデータを読み出し、ディスプレイに表示させる。ステップＳ５３の処理で、携帯端末４に表示させたシンボルデータを店舗端末３０でスキャンする。ステップＳ５４の処理で、店舗端末３０でスキャンされたシンボルデータを文字列にデコードする。ステップＳ５５の処理で、文字列にデコードしたシリアル番号と、店舗に掲載された当選番号とを目視で確認する。ステップＳ５６の処理で、店舗端末３０でスキャンされたシンボルデータを照合する。ステップＳ５７の処理で、当選確認の結果、シリアル番号が当選している場合、以下のステップＳ５８、Ｓ５９の処理を実行する。
【００６４】
ステップＳ５８の処理で、携帯端末４に記録されたデータの照合の結果により、顧客が特典を受け取る。一方、ステップＳ５９の処理で、顧客が持参したちらし（又は複製が許可されている場合のクーポン等）を照合し、顧客が特典を受け取る。このステップＳ５９の処理は、デジタル情報の偽造防止の対象となる。
【００６５】
尚、ステップＳ４０〜Ｓ４８は、図８に示す（１）携帯端末記録型に対応しており、ステップＳ５０、Ｓ５１は（４）目視確認型に対応しており、ステップＳ５４、Ｓ５５は、（５）スキャン＋目視型に対応しており、ステップＳ５６は（６）スキャン＋データ照合型に対応しており、ステップＳ５８は（７）端末確認のみ型に対応しており、ステップＳ５９は（８）ちらし照合型に対応している。
【００６６】
このように、文字列、又はシンボルのシリアル番号を携帯端末４に記録し、店舗でシリアル番号６０が当選しているか否かを確認し、当選している場合に、データ照合し、又はちらしと引き換えにして特典を受け取ることにより、携帯端末を有効活用して顧客の来店数を増加させ、店舗での商品の販売を促進することができる。
【００６７】
次に、上記（２）サーバー登録型の登録処理について詳細に説明する。図１０は、サーバー登録型の登録処理から特典受取処理までの詳細を示すフローチャート図である。図１０において、店舗会員（店舗のポイントカード会員、メールマガジン会員など）への事前登録がある場合を示している。先ず、ステップＳ６０の処理で、顧客に文字列のシリアル番号が記載されたちらし６が配布される。ステップＳ６１の処理で、携帯端末４又は顧客端末４０により、サーバー２０の管理するサイトへアクセスする。ステップＳ６２の処理で、携帯端末４又は顧客端末４０により、顧客情報とシリアル番号の文字列を入力する。ステップＳ６３の処理で、携帯端末４又は顧客端末４０により、サーバー２０へ入力した情報を登録する。ステップＳ６４の処理で、携帯端末４又は顧客端末４０により、サーバー２０から登録確認のメール（顧客ＩＤなど）を受信する。
【００６８】
また、ステップＳ６５の処理で、顧客にシリアル番号に対応するシンボル（２次元、バー等）が記載されたちらし６が配布される。ステップＳ６６の処理で、携帯端末４によりシンボルが撮影される。ステップＳ６７の処理で、携帯端末４により撮影されたシンボルデータが記録される。ステップＳ６８の処理で、携帯端末４又は顧客端末４０により、サーバー２０へアクセスし、顧客情報とシリアル番号のシンボルデータを入力する。ステップＳ６９の処理で、携帯端末４又は顧客端末４０により、サーバー２０へ入力した情報を登録する。ステップＳ７０の処理で、携帯端末４又は顧客端末４０により、サーバー２０から登録確認のメールを受信する。
【００６９】
また、ステップＳ７１の処理で、携帯端末４によりシンボルが撮影される。ステップＳ７２の処理で、携帯端末４により撮影したシリアル番号データが文字列にデコードされる。ステップＳ７３の処理で、携帯端末４によりデコードされた文字列が記録される。ステップＳ７４の処理で、携帯端末４又は顧客端末４０により、サーバー２０へアクセスし、顧客情報とシリアル番号のシンボルデータを入力する。ステップＳ７５の処理で、携帯端末４又は顧客端末４０により、サーバー２０へ入力した情報を登録する。ステップＳ７６の処理で、携帯端末４又は顧客端末４０により、サーバー２０から登録確認のメールを受信する。
【００７０】
ステップＳ７７の処理で、サーバー２０に登録したシリアル番号が当選しているか否かの確認、例えば、顧客が店舗に出向いて確認を行なう。ステップＳ７８の処理で、携帯端末４で受信したメール（文字列のシリアル番号）を読み出し、ディスプレイに表示させる。ステップＳ７９の処理で、携帯端末４に表示させたシリアル番号と、店舗に掲載された当選番号とを目視で確認する。
【００７１】
ステップＳ８０の処理で、携帯端末４で受信したメール（シンボルデータ）を読み出し、ディスプレイに表示させる。ステップＳ８１の処理で、携帯端末４に表示させたメール内のシンボルデータを店舗端末３０でスキャンする。ステップＳ８２の処理で、店舗端末３０でスキャンされたシンボルデータを文字列にデコードする。ステップＳ８３の処理で、文字列にデコードしたシリアル番号と、店舗に掲載された当選番号とを目視で確認する。ステップＳ８４の処理で、店舗端末３０でスキャンされたシンボルデータを照合する。ステップＳ８５の処理で、当選確認の結果、シリアル番号が当選している場合、以下のステップＳ８６、Ｓ８７の処理を実行する。
【００７２】
ステップＳ８６の処理で、携帯端末４に記録されたデータの照合の結果により、顧客が特典を受け取る。一方、ステップＳ８７の処理で、顧客が持参したちらし（又は複製が許可されている場合のクーポン等）を照合し、顧客が特典を受け取る。このステップＳ８７の処理は、デジタル情報の偽造防止の対象となる。
【００７３】
このように、文字列、又はシンボルのシリアル番号を携帯端末４に記録すると共に、サーバー２０に登録し、店舗でシリアル番号６０が当選しているか否かを確認し、当選している場合に、データ照合し、又はちらしと引き換えにして特典を受け取ることにより、携帯端末又は顧客端末を有効活用して顧客の来店数を増加させ、店舗での商品の販売を促進することができる。
【００７４】
次に、上記（３）メール添付型の登録処理について説明する。図１１は、メール添付型の登録処理の詳細を示すフローチャート図である。図１１において、先ず、ステップＳ９０の処理で、顧客に文字列のシリアル番号が記載されたちらし６が配布される。ステップＳ９１の処理で、携帯端末４又は顧客端末４０により、顧客情報とシリアル番号の文字列を入力する。ステップＳ９２の処理で、顧客にシリアル番号に対応するシンボル（２次元、バー等）が記載されたちらし６が配布される。ステップＳ９３の処理で、携帯端末４によりシンボルが撮影される。
【００７５】
ステップＳ９４の処理で、携帯端末４又は顧客端末４０により、シリアル番号（文字列またはシンボルデータ）をメールに添付してサーバー２０へ送信する。ステップＳ９５の処理で、携帯端末４又は顧客端末４０により、サーバー２０へ送信したメール内容で登録を行う。ステップＳ９６の処理で、携帯端末４又は顧客端末４０により、サーバー２０から登録確認のメールを受信する。
【００７６】
このように、文字列、又はシンボルのシリアル番号を携帯端末４に入力又は撮影して取り込み、メールに添付してサーバー２０に送信、登録し、店舗でシリアル番号６０が当選しているか否かを確認し、当選している場合に、データ照合し、又はちらしと引き換えにして特典を受け取ることにより、携帯端末又は顧客端末を有効活用して顧客の来店数を増加させ、店舗での商品の販売を促進することができる。
【００７７】
このように、本発明において、広告媒体のそれぞれに識別情報であるシリアル番号を発行し、顧客が取得した広告媒体の識別情報を、顧客が所有する携帯端末から取得し、その顧客の来店時に所定のサービスの提供が可能か否かを判断することにより、広告媒体及び携帯端末を活用して顧客の来店数を増加させ、販売を促進することができる。
【図面の簡単な説明】
【００７８】
【図１】本発明の一実施例に係る広告媒体活用方法の概要を説明するための図である。
【図２】本発明の一実施例に係る広告媒体活用システムを示す構成図である。
【図３】本発明の一実施例に係る広告媒体活用処理の流れを説明するための図である。
【図４】シリアル番号情報ＤＢに格納されるテーブルを示す図である。
【図５】顧客情報ＤＢに格納されるテーブルを示す図である。
【図６】識別情報が添付されたちらしの例を示す図である。
【図７】店舗と顧客間の広告媒体活用処理を示すフローチャート図である。
【図８】図７に示す登録処理から特典受取処理までの基本フローを説明するための図である。
【図９】携帯端末記録型の登録処理から特典受取処理までの詳細を示すフローチャート図である。
【図１０】サーバー登録型の登録処理から特典受取処理までの詳細を示すフローチャート図である。
【図１１】メール添付型の登録処理の詳細を示すフローチャート図である。
【符号の説明】
【００７９】
１            ネットワーク
４            携帯端末
６            ちらし
８            電話網
１０          広告媒体活用システム
２０          サーバー
２１          キャンペーン情報登録処理部
２２          シリアル番号発行処理部
２３          顧客情報取得処理部
２４          送信処理部
２５          当選確認処理部
３０          店舗端末
４０          顧客端末
５０          メーカー端末
２００        シリアル番号情報ＤＢ
２１０        顧客情報ＤＢ
【図１】
2005189977.tif 000003
【図２】
2005189977.tif 000004
【図３】
2005189977.tif 000005
【図４】
2005189977.tif 000006
【図５】
2005189977.tif 000007
【図６】
2005189977.tif 000008
【図７】
2005189977.tif 000009
【図８】
2005189977.tif 000010
【図９】
2005189977.tif 000011
【図１０】
2005189977.tif 000012
【図１１】
2005189977.tif 000013